(57)【特許請求の範囲】
【請求項１】
建築物の開口部に左右に並べて複数設けられたシャッターカーテンと、
これらシャッターカーテン同士の間に設けられるとともに、シャッターカーテンを上下に案内するガイドレールを左右に備えた中柱と、
当該中柱の下端部が臨む床に設けられるとともに、当該中柱の下端部が着脱自在に接続される中柱受部材とを備え、
前記中柱受部材には、前記床に設置される際の位置合わせ用に、前記開口部が形成された壁の外側から取り付けられるシャッター装置のための外付け用の位置出し溝と前記開口部が形成された壁の内側から取り付けられるシャッター装置のための内付け用の位置出し溝とが形成されているとともに、
前記中柱受部材には、当該中柱受部材内に水を通過させて当該中柱受部材の外部の床側に水を流出可能な水抜き穴が形成されていることを特徴とするシャッター装置。
【請求項２】
前記位置出し溝の少なくとも一部は、前記中柱受部材を前記床に設置した際に、前記シャッター装置の左右端部の所定位置間を結ぶ線分に平面視して一致する位置に形成されていることを特徴とする請求項１に記載のシャッター装置。
【請求項３】
前記中柱受部材には、前記中柱の下端部が挿入されることにより、当該中柱の下端部に嵌合し、当該中柱の下端部の前後左右の水平方向に沿った移動を規制した状態に固定する凹所が設けられていることを特徴とする請求項１または２に記載のシャッター装置。
【発明の詳細な説明】
【技術分野】
【０００１】
本発明は、開閉自在なシャッターカーテンが左右に複数並べて設けられ、シャッターカーテン同士の間にシャッターカーテンの上下動を案内するガイドレールを左右に備えた中柱（方立）が設けられ、床面に中柱の下端部を固定する中柱受部材が設けられ、中柱受部材に中柱の下端部が着脱可能に取り付けられたシャッター装置に関する。
【背景技術】
【０００２】
住宅等の建築物の入出口等の開口部、特にガレージや店舗等の入出口に設けられるシャッター装置においては、左右に複数のシャッターカーテンが設けられたものが知られている。このようなシャッター装置には、シャッターカーテン同士の間にこれらシャッターカーテンの互いに近接する側縁部を上下動自在に案内するガイドレールを左右に備えた中柱（方立）が着脱自在に備えられている。
これにより、複数のシャッターカーテンを全て上方に巻き上げて、入出口を開放した際に、中柱を取り去ることで、左右に広い開口部を形成することができる。言い換えれば、広い開口部を複数のシャッターカーテンで開閉可能とすることにより、各シャッターカーテンの軽量化を図る際に、シャッターカーテン同士の間には、着脱自在な中柱が必要となる。
【０００３】
ここで、中柱の上端部は、シャッター装置の建築物の開口部に沿って門形に設けられる枠部材の上側の枠部を構成する部分に着脱自在に取り付けられるようになっている。
一方、シャッター装置の枠部材が門形に形成されていることから、中柱の下側には、枠部材がない状態となっている。これは、主に入出口として用いられる開口部の下側は、できるだけフラットの方が好ましいためであり、例えば、建築物の開口部の下側となる部分は、建築物内部からほぼ水平に設けられる土間面（床面）となっている。
そこで、土間面には、中柱の下端部が配置される位置に受皿（中柱受部材）が設けられており、この受皿に中柱が着脱自在に取り付けられる。
また、中柱の下端部に上下動自在に設けられた落とし杆と、受皿に設けられた係合孔からなる落し錠が設けられている（例えば、特許文献１，２を参照）。
係合孔に落し杆を挿入することで、中柱が土間面に着脱可能に取り付けられた状態となる。なお、台風時の強風などの風圧がシャッター装置に作用した場合に、中柱が撓むことで、落とし杆の係合孔への挿入深さが短いと、係合孔から落とし杆が抜けてしまう可能性がある。そこで、落とし杆が係合孔へ深く挿入される構成となっており、受皿内に係合孔が形成される構造においては、係合孔が深いことから、受皿が厚くなる。
【０００４】
この受皿は、基本的に土間面上に突出しないように土間に埋設された状態に施工される。
例えば、土間（床）がコンクリートやモルタル（以下、コンクリートやモルタル等の硬化物をコンクリート等と称する）で施工される場合に、土間面をコンクリート等で形成する際に、前記受皿を設置する位置の地面にアンカー代わりに鉄筋を打ち込み、受皿を構成する部材をアンカーとなる前記鉄筋に溶接で取り付けた状態とし、その後にコンクリート等を打設して、土間面に埋設した状態に受皿を設ける方法がある。
【０００５】
また、先にコンクリート等を打設して硬化させて土間を形成した後に、土間を形成する硬化したコンクリート等をはつって、穴を形成し、この穴に受皿を入れた後に、再びモルタルを再度打設して、床面を仕上げる方法がある。
【０００６】
【特許文献１】特開平６−２３５２８３号公報
【特許文献２】特開２００５−４８５０８号公報
【発明の開示】
【発明が解決しようとする課題】
【０００７】
ところで、受皿を土間面に埋設された状態に施工する場合の前者の方法では、土間面を構成するコンクリート等を打設する前に受皿を設置する必要があることから、受皿の設置位置の位置決めが難しいという問題がある。
また、コンクリート等が硬化する際に伸縮（収縮）することにより、コンクリート等の硬化物中の受皿が僅かに移動してしまう可能性がある。これらのことから受皿を高い精度で位置決めすることが困難となり、受皿に設置される中柱の位置に僅かな位置ずれが生じる可能性があった。
【０００８】
また、後者の方法では、モルタルをはつった後に例えば鉄筋やアンカー等に受皿を溶接で固定するなどして、再びモルタルを打設する必要があることから工程数が多くなり、作業が長期化するとともにコストが高くなる虞があった。
そこで、床面に凸部が形成されることになっても、工期短縮とコストダウンを図るために、受皿を施工済みの土間面上に固定することが考えられる。
【０００９】
しかし、この場合にも、土間面上には、特に中柱受部材の取付位置を特定するような構造がないので、中柱受部材の位置決めが困難になる可能性があった。
【００１０】
本発明はこのような事情に鑑みてなされたもので、床に設置する際に、床上での受皿の位置決めを極めて容易に精度高く行なうことができるシャッター装置を提供することを目的とする。
【課題を解決するための手段】
【００１１】
前記目的を達成するために、請求項１に記載のシャッター装置は、
建築物の開口部に左右に並べて複数設けられたシャッターカーテンと、
これらシャッターカーテン同士の間に設けられるとともに、シャッターカーテンを上下に案内するガイドレールを左右に備えた中柱と、
当該中柱の下端部が臨む床に設けられるとともに、当該中柱の下端部が着脱自在に接続される中柱受部材とを備え、
前記中柱受部材には、前記床に設置される際の位置合わせ用に、前記開口部が形成された壁の外側から取り付けられるシャッター装置のための外付け用の位置出し溝と前記開口部が形成された壁の内側から取り付けられるシャッター装置のための内付け用の位置出し溝とが形成されているとともに、
前記中柱受部材には、当該中柱受部材内に水を通過させて当該中柱受部材の外部の床側に水を流出可能な水抜き穴が形成されていることを特徴とする。
【００１２】
なお、位置出し溝は、基本的に構造に影響を与えない細い溝であり、かつ、位置出し溝は平面視した場合に直線上であれば、立体的に見た場合に中柱受部材の表面構造に沿って湾曲したり屈曲したりしていてもよい。
また、床は、例えば、土間であり、モルタルやコンクリートによって形成されたものである。
また、中柱受部材内に水が流入する部分は、例えば、中柱を中柱受部材に引き抜き不可に固定するための施錠装置の穴などである。
【００１３】
請求項２に記載のシャッター装置は、請求項１に記載のシャッター装置において、
前記位置出し溝の少なくとも一部は、前記中柱受部材を前記床に設置した際に、前記シャッター装置の左右端部の所定位置間を結ぶ線分に平面視して一致する位置に形成されていることを特徴とする。
なお、前記所定位置は、左右方向に直交する内外方向の位置が明確となっていれば、その他の位置（上下の高さ位置）は不明確な部分があってもよく、前記所定位置間に水糸を張れるようになっていることが好ましい。
【００１４】
請求項３に記載のシャッター装置は、請求項１または請求項２に記載のシャッター装置において、
前記中柱受部材には、前記中柱の下端部が挿入されることにより、当該中柱の下端部に嵌合し、当該中柱の下端部の前後左右の水平方向に沿った移動を規制した状態に固定する凹所が設けられていることを特徴とする。
なお、中柱を少し上に移動することで、凹所から中柱の下端部を取り出し可能となっていることが好ましい。
【発明の効果】
【００１６】
請求項１記載のシャッター装置においては、特に中柱受部材の位置を決める構造がない床に中柱受部材を設置する際に、中柱受部材に位置決め溝があるので、例えば、水糸や墨だし線を設けることで、中柱受部材を容易に精度高く位置決めして設置することができる。
また、例えば、中柱受部材に中柱下端部を固定するための施錠装置の一部として、中柱受部材に上方側に開口する穴があるような場合に、当該穴に塵芥や土砂等が詰まってしまう可能性があるが、中柱受部材内を通過した水が外部に流出可能な水抜き穴を設けることで、水により上述の穴内に溜った塵芥や土砂を流しだしたり、棒などを穴に挿入して、直接塵芥や土砂を水抜き穴から押し出すようなことができる。これにより、穴が埋まってしまうことで、施錠が困難になるようなことを防止することができる。
【００１７】
請求項２記載のシャッター装置においては、位置出し溝の少なくとも一部は、前記中柱受部材を前記床面上に設置した際に、前記シャッター装置の左右端部の所定位置間を結ぶ線分に平面視して一致する位置に形成されているので、上記所定位置間に水糸を張り、当該水糸に位置出し溝を合わせて中柱受部材を設置することができ、中柱受部材の位置決めをさらに容易なものとすることができる。
【００１８】
請求項３記載のシャッター装置においては、中柱の下端部が前後左右に移動できないように中柱受部材に嵌合することで、中柱の下端部を容易に位置決めした状態に固定できる。
【発明を実施するための最良の形態】
【００２０】
以下、添付した図面を参照しながら、本発明の実施の形態を説明する。
図１および図２は本発明の実施の形態に係るシャッター装置１０を示し、図３は、シャッター装置１０の中柱２０に設けられた中柱側施錠装置３０を示し、図４は、中柱２０が固定されるとともに受側施錠装置５０を有する中柱受部材６０を示すものである。
図１，２に示すように、シャッター装置１０は、建築物の開口部に左右に並べて複数設けられたシャッターカーテン１５，１５と、これらシャッターカーテン１５，１５同士の間に設けられるとともに、シャッターカーテン１５，１５を上下に案内するガイドレール１６，１６を左右に備えた中柱２０と、当該中柱２０の下端部が臨む床（土間面）に設けられるとともに、当該中柱２０の下端部が着脱自在に接続される中柱受部材６０と、当該中柱受部材６０に前記中柱２０の下端部を固定した状態に施錠する施錠装置（中柱側施錠装置３０、受側施錠装置５０）とを備えている。
特にこの例のシャッター装置は、建築物の入出口等の開口部に好適に設けられるもので、開口部の下側の床は、例えば、モルタルやコンクリートで形成された土間面となっている。さらに、この例において、建築物は、例えば、ガレージであり、車両を収容するものとなっている。そして、シャッター装置１０の設置位置において、土間面上を車両が出入りするようになっている。
【００２１】
シャッター装置１０は、門形状の枠部材１１を備えており、枠部材１１は、左右の縦枠部１２，１３と、これら左右の縦枠部１２，１３の上端部どうしの間に掛け渡される上横枠部１４とから構成されている。左右の縦枠部１２，１３には、それぞれ、シャッターカーテン１５の左右の側縁部の一方を上下動自在に案内するガイドレール１６，１６が備えられている。
【００２２】
また、この例のシャッター装置１０は、図２に示すように、シャッターカーテン１５，１５が左右に並んで２つ備えられている。
左右のシャッターカーテンの間には、中柱（方立）２０が配置されている。中柱２０は、左右にそれぞれ、上述のガイドレール１６，１６が備えられている。
そして、枠部材１１の左右の縦枠部１２，１３のガイドレール１６，１６と、中柱２０の左右のガイドレール１６，１６とに左右側部を案内されるように、左右のシャッターカーテン１５，１５が配置されている。
【００２３】
左右のシャッターカーテン１５，１５は、左右に細長いスラット１７，…を上下方向に多数連結したものであり、巻き取ることが可能となっている。
【００２４】
そして、前記枠部材１１の上横枠部１４には、左右の各シャッターカーテン１５をそれぞれ巻き取る２つの巻取ドラム１８が回転可能に取り付けられるとともに、巻取ドラム１８はカバー部材１９に覆われた状態となっている。
そして、巻取ドラム１８の外周面には、シャッターカーテン１５の上端部が固定され、巻取ドラム１８が正転することによりシャッターカーテン１５を巻き取って、シャッターカーテン１５を上昇させてシャッターカーテン１５を開放状態とするとともに、巻取ドラム１８を逆転することによりシャッターカーテン１５を下降させてシャッターカーテン１５を閉塞状態とするようになっている。なお、シャッターカーテン１５の最下端部、すなわち、最も下のスラット１７の下には、シャッターカーテン１５と同様に左右に延在する巾木１７ａが設けられている。
【００２５】
そして、上記中柱２０は、その上端部が枠部材１１の上横枠部１４の左右の中央部の下部に着脱自在に取り付けられている。なお、中柱２０の上端部は、上横枠部１４に設けられた中柱２０の接続部に緩く嵌合した状態とされるようになっており、上横枠部１４に上端部を嵌合した状態の中柱２０は、その下端部を僅かに移動可能となっているとともに、全体を僅かに上下に移動可能となっている。そして、上横枠部１４に上端部を嵌合した状態の中柱２０の下端部を前後に移動して中柱２０を斜めとした状態で、中柱２０を下方に移動することにより、中柱２０の上部と上横枠部１４との嵌合を解除可能となっている。
なお、中柱２０の設置位置は、シャッターカーテン１５の数や左右のシャッターカーテン１５のサイズの違いによって異なることになるので、必ずしも、枠部材１１の上横枠部１４の左右の中央部に設けられる必要はない。例えば、３つ以上のシャッターカーテンが左右に並んで用いられる場合や、２つのシャッターカーテンでも左右で横幅の異なるシャッターカーテン１５が用いられる場合には、枠部材１１の中央部でない位置に中柱が配置される場合がある。
【００２６】
また、中柱２０の下端部が、上述の建築物の開口部の下側を構成する土間面に設けられた中柱受部材６０に着脱自在に取り付けられるようになっている。また、中柱２０の下端部に設けられた中柱側施錠装置３０と、中柱受部材６０側に設けられた受側施錠装置５０とからなる施錠装置により、中柱２０が中柱受部材６０に引き抜き不可となるように固定される。また、後述のように中柱２０の下端部を中柱受部材６０に施錠した状態では、中柱２０の下端部の水平方向への移動が規制されることで、中柱２０の上端部を上横枠部１４から取り外せない状態となっている。
【００２７】
そして、中柱側施錠装置３０は、この例において、例えば、玄関ドアの施錠装置として用いられるカマ錠を応用したものが用いられている。中柱側施錠装置３０は、基本的な構造、動作および作用は基本的にドアのカマ錠と同様のものとなっている。
中柱側施錠装置３０は、錠ケース３１を備え、錠ケース３１は、中柱２０の下端部の建築物の内外方向の内側となる面に固定されている。そして、錠ケース３１の側面には、サムターン３２が回転自在に取り付けられている。
【００２８】
そして、玄関ドアの施錠装置としては、周知の装置なので構造を詳しくは説明しないが、図３（ａ）に示す解錠状態からサムターン３２を正転方向に回すと、図３（ｂ）に示すようにロックボルト３３が下方に突出するように前進移動し、さらにサムターン３２を回すと、ロックボルト３３の先端部から左側に向ってカマ３４が突出するようになっている。
【００２９】
また、施錠状態からサムターンを逆転方向に回すと、まず、ロックボルト３３の下端部にカマ３４が没するように移動してロックボルト３３内に収納され、さら、サムターンを回すとロックボルト３３が上方に没するように後退移動して錠ケース３１内に収納される。
すなわち、ロックボルト３３は、錠ケース３１に出没自在に設けられ、カマ３４は、ロックボルト下端部において、ロックボルト３３の移動方向と、ほぼ直交する方向に出没自在に設けられている。
【００３０】
中柱受部材６０は、この例において、コンクリートもしくはモルタル等により土間面が形成された後の土間面上に設けられるようになっている。
中柱受部材６０は、例えば、アルミニウムやその合金もしくは硬質合成樹脂等で形成されるが、例えば、車両が乗り上げても壊れない強度を備えるものならば特に材質は限定されない。
【００３１】
そして、中柱受部材６０は、建築物の開口部の内外方向に対して内側を向く内斜面部６１と外側を向く外斜面部６２とそれらの間に設けられて中柱２０の下端部が嵌合させられる柱嵌合部６３と、柱嵌合部６３と内斜面部６１との間に設けられた受側施錠装置５０とを備えている。なお、内斜面部６１と外斜面部６２との間の柱嵌合部６３および受側施錠装置５０は、基本的に内外の斜面部６１，６２同士の間の平面部６４に設けられている。
【００３２】
内外の斜面部６１，６２は、車両が中柱受部材６０に乗り上げるような場合に円滑にタイヤが乗り上げるように傾斜して形成されたものである。
また、土間面に固定される中柱受部材６０に十分な底面積を確保するようになっている。
これら斜面部６１，６２の間の平面部６４には、上述のように中柱２０の下端部を嵌合する柱嵌合部６３が外斜面部６２に隣接して形成され、受側施錠装置５０が内斜面部６１に隣接して形成されている。
【００３３】
柱嵌合部６３は、中柱２０の下端部が挿入される凹所６５が形成されている。この凹所６５は、建築物の開口部における内側方向と、外側方向とに段差を有する浅い溝状に形成され、左右が開放された状態となっている。また、凹所６５内の中柱受部材の左右端部には、それぞれ矩形状に底面まで切り欠かれて底面側に開放する切欠部６６，６６が形成されている。
【００３４】
この切欠部６６，６６は、中柱２０の下端部を凹所６５内に挿入して嵌合させた状態で左右のシャッターカーテン１５，１５を下降させた際に、左右のシャッターカーテン１５，１５の下端部の巾木１７ａが土間面にほぼ当接するように形成されたものである。すなわち、巾木１７ａの右端部もしくは左端部が切欠部６６，６６内に挿入されて、巾木１７ａが土間面まで下降できるようにしたものである。
【００３５】
また、中柱２０の内外方向の外側を向く側面側には、中柱２０の左右の中央部が外側に向って僅かに突出した膨出部２１が形成されている。それに対応して、凹所６５の内外方向の外側となる段差面に外側に向って凹む窪み６７が形成されている。
また、中柱２０の内外方向の内側を向く側面側には、中柱２０の左右の中央部が凹んだ状態の凹部２２が形成されている。それに対応して凹所６５の内外方向の内側となる段差面に外側に向って突出する凸部６９が形成されている。これら膨出部２１および凹部２２と、窪み６７および凸部６９とにより、中柱２０と凹所６５の位置合わせが可能となっている。
また、膨出部２１および凹部２２と、窪み６７および凸部６９とが係合することにより、中柱受部材６０に対して、中柱２０の下端部が左右に移動することが規制される。なお、中柱受部材６０の凹所６５の内外方向の内側と外側に形成された段差面により、中柱２０の内外方向（前後方向）への移動が規制される。
したがって、中柱受部材６０の凹所６５は、中柱２０の下端部が挿入されることにより、当該中柱２０の下端部に嵌合し、当該中柱２０の下端部の前後左右の水平方向に沿った移動を規制した状態に固定することになる。
【００３６】
受側施錠装置５０は、中柱側施錠装置３０のロックボルト３３およびカマ３４が挿入される孔５１と、受側施錠装置５０となる平面部６４の内斜面部６１側上に配置されて、孔５１のロックボルト３３が挿入される部分を除く部分を塞ぐように配置される被係止板５２とを備えるものである。すなわち、施錠装置は、中柱受部材６０に設けられた孔５１および当該孔５１の一部を塞ぐ位置に設けられた被係止部材としての被係止板５２を有する。なお、被係止板５２は、中柱受部材６０の平面部６４の受側施錠装置５０の部分に一体に固定された状態となっている。
【００３７】
前記孔５１は、一体に成型される中柱受部材６０に成型時に形成されたもので、図６の底面図に示すように、中柱受部材６０の前記建築物の内側から見て向って中央より僅かに右よりの部分から左端部分まで矩形状に左右に長く形成されている。
そして、孔５１の上面側に被係止板５２が被せられた状態となることにより、孔５１の上端の形状が被係止板５２に形成された孔５３の形状に制限された状態となる。
【００３８】
被係止板５２の孔５３は、中柱受部材６０に形成された孔５１と内外方向の幅がほぼ同じで、上述の左側の側縁の位置が略同じとされている。また、被係止板５２の孔５３の右側縁は、中柱受部材６０の左右の中心を通る中心線に対して線対称となる位置に配置される。
これにより、被係止板５２の孔５３より左側の部分は、被係止板５２の下側が空間となっており、後述のようにカマ３４を挿入可能となっている。
【００３９】
また、被係止板５２の孔５３は、その位置が中柱２０を中柱受部材６０に嵌合させた際のロックボルト３３が突出する位置となっており、孔５３の形状は、ロックボルト３３の矩形の断面形状より僅かに内外方向および左右方向が長くなった矩形状となっている。これにより、断面外形が矩形状のロックボルト３３は、被係止板５２の孔５３を貫通して中柱受部材６０の孔５１内に挿入されるようになっている。
【００４０】
そして、ロックボルト３３が被係止板５２の孔５３および中柱受部材６０の孔５１に挿入された状態では、ロックボルト３３は、被係止板５２により内外および左右を含む水平方向に沿った移動が全て規制され、中柱受部材６０により左方向を除く水平方向に沿った移動が規制された状態となる。
【００４１】
したがって、中柱２０の下端部は、当該下端部が中柱受部材６０の柱嵌合部６３に嵌合し、中柱側施錠装置３０のロックボルト３３が被係止板５２の孔５３と中柱受部材６０の孔５１に嵌合することで、水平方向への移動が規制される。
そして、中柱受部材６０の孔５１に挿入されたロックボルト３３の先端部から左側に突出するカマ３４は、左側に向って長く延びる孔５１内で左側に突出する。そして、左側に突出したカマ３４は、中柱受部材６０の孔５１の一部を塞いだ状態の被係止板５２の下側に入り込み、カマ３４は、被係止板５２に上方への移動を規制された状態に係止されることになる。
すなわち、施錠装置は、中柱２０の下端部に移動可能に設けられ、中柱２０の下端部から孔５１内に突出させられて当該孔５１内に挿入されるとともに、前記被係止部材としての被係止板５２の下側に入り込まされることで、被係止板５２により上方への移動を規制される係止部材としてのカマ３４とを備えている。
【００４２】
これにより、カマ３４が突出した状態では、孔５１からロックボルト３３を引き抜くことができない状態となる。したがって、台風時などの強風にシャッター装置１０が煽られて中柱２０が撓んだ際に、ロックボルト３３の孔５１への挿入深さが浅いことから、ロックボルト３３が抜けそうになっても、カマ３４が被係止板５２に係止されることにより、ロックボルト３３が上方に移動できず、ロックボルト３３が孔５１からはずれて解錠された状態となることがない。
【００４３】
これにより、中柱受部材６０に形成されてロックボルト３３が挿入される孔５１は、深くする必要がなく、従来の落とし嵌が挿入される係合孔よりも極めて浅いものとすることができ、これにより、中柱受部材６０に深い孔を設ける必要がなく、浅い孔を設ければよいので、中柱受部材６０の上下厚みを薄くすることができる。
【００４４】
これにより、中柱受部材６０をシャッター装置１０で開閉される開口部の床面上に設置するものとしても、床面からの高さが低いものとなり、十分に実用性のあるものとすることができる。なお、中柱受部材６０の高さが高すぎると、人や車両の通行の邪魔となり、できるだけ低い方が好ましい。
すなわち、中柱受部材６０は、前記床としての土間面に埋設されることなく、土間面上に取り付けられている。
また、サムターン３２を逆転させた場合には、ロックボルト３３内にカマ３４が収容された状態となるので、ロックボルト３３を孔５１から抜くことができる。
【００４５】
中柱受部材６０は、上述のように土間面に取り付けられるが、この例において、中柱受部材６０は、例えば、図１に示すコンクリートアンカーねじ７０によって固定される。コンクリートアンカーねじ７０は、例えば、コンクリート、モルタル等に下孔をドリルで開けたのちに、下孔にねじ込むことにより、下穴内周面にねじ山が食い込み、引き抜き応力に対応可能となるものである。
【００４６】
そして、中柱受部材６０は、内斜面部６１と外斜面部６２にそれぞれコンクリートアンカーねじ７０を貫通させるための貫通孔６８，６８が左右２箇所ずつに形成されている。また、柱嵌合部６３の凹所６５の底面部分の左右側部にもコンクリートアンカーねじ７０を貫通させるための貫通孔が左右２箇所に形成されている。
なお、貫通孔６８，６８の上部には、貫通孔６８，６８の下部より広い径の座ぐりが形成され、コンクリートアンカーねじ７０の頭部が入り込んで中柱受部材６０の上面に出ないようになっている。また、貫通孔６８，６８は、左右対称に配置されるとともに、内外対称に配置されており、柱嵌合部６３の凹所６５の底面部分の左右の貫通孔６８，６８は、内外の中央の中心線上に配置されている。
【００４７】
また、コンクリートやモルタルからなる土間面上に中柱受部材６０を正確に高い精度で設置する必要がある。そこで、中柱受部材６０には、その表面に細い断面Ｖ字状の位置出し溝８１，８２，８３が形成されている。これら位置出し溝８１，８２，８３は、それぞれ、中柱受部材６０の上面に形成されるとともに、上面から側面に連続して形成され、側面の下端まで形成されている。これにより、中柱受部材６０を土間面上に置いた場合に、土間面と位置出し溝８１，８２，８３の端部とがほぼ接触した状態となる。
また、これら位置出し溝８１，８２，８３は、中柱受部材６０の表面構造に対応して上下方向に曲がって形成されるが、平面視した場合にそれぞれ１つの直線と完全に重なるように形成されている。
【００４８】
第１の位置出し溝８１は、中柱受部材６０の左右の中央となる中心線（内外方向）に沿って形成されている。なお、第１の位置出し溝８１は、凹所６５および孔５１の部分で、途切れて複数本となっているが、平面視した場合に１つの直線上に配置された状態となっている。
第２の位置出し溝８２は、柱嵌合部６３の凹所６５の底面に形成されており、内外方向の中央、すなわち、左右に延在する中心線上に配置されている。なお、第２の位置出し溝８２も貫通孔６８，６８により分断された状態となっているが、一直線上に配置されている。
【００４９】
第３の位置出し溝８３は、第２の位置出し溝８２に対して内外方向の外側に向って間隔をあけて平行に凹所６５の底面に配置されている。
したがって、第１の位置出し溝８１と、第２の位置出し溝８２および第３の位置出し溝８３とが直交して配置され、第２の位置出し溝８２と第３の位置出し溝８３とが平行に配置されている。
【００５０】
ここで、第３の位置出し溝８３は、左右の縦枠部１２，１３のガイドレール１６，１６の内外方向の外側を向く側面９０，９０（図２に図示）間を繋ぐ直線上に配置されるものとなっている。
なお、第２の位置出し溝８２は、後述の図７および図８に示す変形例となるシャッター装置１０で用いられるようになっている。この実施形態の図１および図２に示すシャッター装置１０は、建築物の開口部が形成された壁の外側から取り付けられる外部付け用タイプとなっているのに対して、図７および図８に示すシャッター装置１０は、建築物の開口部が形成される壁の内側から取り付けられる内部付け用タイプとなっている。
【００５１】
そして、本発明では、この外部付け用シャッター装置１０と、内部付け用シャッタ装置１０とで、共通の中柱受部材６０を使用するようになっているが、ガイドレール１６，１６の内外方向の外側を向く側面９０，９０間（図８における側面９０ａ，９０ａ）を繋ぐ直線と中柱受部材６０との位置関係が外部付け用と内部付け用とで異なるものとなっており、第３の位置出し溝８３が外付け用の位置出し溝とされ、第２の位置出し溝８２が内付け用の位置出し溝とされている。
【００５２】
これにより、複数種類（２種類）のシャッター装置１０において、同じ形状の中柱受部材６０を使用することができ、コストの低減を図ることができる。
以上のように、中柱受部材６０には、床面（土間面）上に設置される際の位置合わせ用に位置出し溝８１，８２，８３が形成されている。そして、位置出し溝８１，８２，８３の少なくとも一部は、中柱受部材６０を床面上に設置した際に、シャッター装置１０の左右端部の所定位置間を結ぶ線分に平面視して一致する位置に形成されていることになる。
【００５３】
そして、中柱受部材６０を設置する場合には、例えば、建築物が構築されるとともにシャッター装置１０の枠部材１１が設置され、かつ、土間面が形成された状態において、設置された枠部材１１の配置にしたがって墨だしもしくは水糸を張って位置だしを行なう。
ここで、まず、左右の縦枠部１２，１３どうしの間の距離を測り、これらの間の中心位置を出して、この中心位置に内外方向に沿って墨だしを行う。なお、仕上げ面である土間面上に墨で印をつけてしまうと消すのが困難になるので、簡単に消去できる塗料や染料等を用いることが好ましい。また、より簡易には、定規と鉛筆を用いて、鉛筆により上述の
中心位置を書くものとしてもよい。なお、中心位置を出す際に、枠部材１１の上横枠部１４の中柱２０の上端部の取り付け位置の中央から下げ振りを垂らして、下げ振りの錘の位置を中心位置としてもよい。
【００５４】
また、上述の左右の縦枠部１２，１３のガイドレール１６，１６のそれぞれの内外方向の外側を向く側面９０，９０（図２に図示）間を繋ぐように、左右の縦枠部１２，１３どうしの間に水糸を張る。
【００５５】
そして、中柱受部材６０の第１の位置出し溝８１を上述の中心位置に墨だしされた線に合わせる。この際に、第１の位置出し溝８１の内外の両端部は、側面の下端まで形成されているので、土間面上の線と容易に一致させるように配置することができる。
次に、水糸に中柱受部材６０の第３の位置出し溝８３の位置を合わせる。
これにより、中柱受部材６０を極めて精度高く、かつ、極めて容易に位置決めすることができる。
そして、中柱受部材６０の土間面への固定は、上述のコンクリートアンカーねじ７０を用いて容易に十分な強度で設置することができる。
【００５６】
また、中柱受部材６０を床面上に固定した場合に、図６に示される中柱受部材６０の底面において、符号５５で示される部分が、中柱受部材６０の底面より一段高い位置に配置され、床面と符号５５で示される部分に間隔が空くようになっている。したがって、この部分は、中柱受部材６０を床面に配置した際に中柱受部材６０の内外に貫通する穴（水抜き穴５５）となる。そして、この水抜き穴５５は、被係止板５２の下側で、図６の底面図に示すように、中柱受部材６０の前記建築物の内側から見て向って中央より僅かに右よりの部分から左端部分まで矩形状に左右に長く形成された孔５１に連通するものとなっている。
【００５７】
すなわち、中柱受部材６０には、当該中柱受部材６０内に水を通過させて当該中柱受部材６０の外部の床側に水を流出可能な水抜き穴が形成されていることになる。
ところで、前記孔５１は、被係止板５２の孔５３と重なって中柱側施錠装置３０のロックボルト３３が挿入されるため、中柱２０が取り付けられていない場合には、上方に開放した状態となり、塵芥や土砂が入り込むことが可能な構成となってしまう。
この孔５１に塵芥や土砂が詰まってしまうと、ロックボルト３３を挿入できなくなり、中柱２０を中柱受部材６０に施錠して固定することができなくなってしまう。
【００５８】
しかし、この例では、この孔５１に連通するとともに、床面との間の間隔により中柱受部材６０の側面に開口する水抜き孔５５が設けられていることにより、例えば、孔５１の上側の開口から水を流入させるとともに当該水を水抜き孔から床面側に流出させることで、孔５１内に溜った塵芥や土砂を容易に流し出すことができる。
また、孔５１内に棒をいれて、水抜き孔５５から塵芥や土砂を押し出すこともできる。
これにより、孔５１が詰まることで上述のように中柱受部材６０に中柱２０を施錠できない状態となるのを防止することができる。
【００５９】
以上のように、中柱２０を中柱受部材６０に固定する施錠装置が、単に径合孔に棒状の落し杆を真っ直ぐに挿入するものではなく、被係止板５２の下にカマ３４を入れ込んで上下方向の移動を規制するように係合しているので、強風等で中柱２０が湾曲するように撓んでもカマ３４を有するロックボルト３３が中柱受部材６０の孔５１から抜けることがない。したがって、従来のように中柱が湾曲しても係合孔から落とし杆が抜けないように、係合孔を深くするとともに、落し杆を係合孔に深く挿入する構成としなくてもよく、ロックボルト３３の孔５１への挿入深さを浅くすることできる。これにより孔５１も浅くすることができる。したがって、孔５１が形成される中柱受部材６０も薄くすることができる。
【００６０】
そして、中柱受部材６０が薄ければ、中柱受部材６０を土間面に埋設する状態とせずに、土間面上に配置する構成としても、中柱受部材６０が車両や人の通行の邪魔になる可能性が低くなり、特に、車両の通行の邪魔になることはない。したがって、土間面上に中柱受部材６０を配置する構成とすることができる。この場合に、土間面に中柱受部材６０を埋設する場合に比較して、中柱受部材６０の設置作業等を大幅に簡便化することができ、工期の短縮とコストダウンを図ることができる。
また、土間面上に精度高く中柱受部材６０を設置するのに手間がかかる可能性があるが、この例では、中柱受部材６０に墨だし線や水糸に位置を合わせるための位置出し溝８１，８２，８３を設けたので容易に位置決めを行なうことができる。
特に、第２の位置出し溝８２および第３の位置出し溝８３は、先に設置される枠部材１１の左右の所定位置間に水糸を張った場合に一致する位置に形成されているので、さらに位置合わせが容易となる。
【００６１】
なお、左右に並んで配置されるシャッターカーテンの数は２つに限定されるものではなく、３以上であってもよい。また、シャッターカーテンの数の増加に伴なって中柱２０の数も増加することになる。さらに、施錠装置は、カマ式ロックボルトを用いたものに限定されるものではなく、被係止部材の下側に係止部材が着脱自在に係合する構造となっていれば、どのような施錠装置を用いるものとしてもよい。
【００６２】
また、上述の実施形態では、中柱受部材６０を土間面（床面）上に設けるものとしたが、コンクリート等からなる土間面の中柱受部材６０の設置位置をはつって穴をあけ、この穴内に中柱受部材６０を入れることで、土間に中柱受部材６０を埋設した状態に設置してもよい。
この場合に、床面上に中柱受部材６０を設置する場合よりも、手間が増えることになるが、従来より中柱受部材６０の上下厚みが薄いことから、コンクリートをはつる深さが浅いので、従来よりも容易に中柱受部材６０を設置することができる。特に、コンクリート等からなる土間面をはつって形成された穴内に中柱受部材６０を固定する際に鉄筋等に固定するのではなく、上述の実施形態と同様にコンクリートアンカーねじ７０で床に固定するものとすれば、中柱受部材６０の上下厚みが薄いことと合わせて鉄筋が露出するまでコンクリートをはつる必要がなく、さらに施工の手間を簡略化することができる。
すなわち、上述のように中柱受部材６０の上下厚みが薄い構造とすることで、中柱受部材６０をコンクリート等が硬化した後の床に穴をあけて埋設するものとしても、施工の手間の煩雑化を抑制することができる。
また、床のコンクリート硬化後に中柱受部材６０を床に埋設するものとしても、位置合わせの際に、例えば、水糸と位置出し溝８１，８２，８３とを合わせる構成とすれば、位置合わせを容易かつ正確に行うことができる。
【００６３】
図７，図８は、本発明の上述の実施形態の変形例を示すものであり、上述の実施形態と、同一の構成要素には、図１、図２と同様の符号を付してその説明を省略する。
図１、図２に示す上述の実施形態のシャッター装置１０が建築物の開口部が形成される壁面の室外側から取り付けられるのに対して、図７、図８に示す変形例のシャッター装置１０は、シャッター装置１０が設けられる建築物の開口部が形成される壁面に室内側から取り付けられるものである。変形例のシャッター装置１０におけるその他の構成は、上述の実施形態と同様であり、特に、変形例の中柱受部材６０は、図３〜図６に示す上記実施形態の中柱受部材６０と同様の構成となっている。
さらに、本発明では、図１および図２に示す外部付け用シャッター装置１０と、図７および図８に示す内部付け用シャッター装置１０とで、同一の形状、すなわち、同じ製品としての中柱受部材６０を共通に用いることができる。但し、上述のように変形例においては、左右の縦枠部１２，１３のガイドレール１６，１６の内外方向の内側を向く側面９０ａ，９０ａ（図８に図示）間を繋ぐ直線上に第２の位置出し溝８２が配置されるものとなっている。
【００６４】
なお、以上のように本発明の中柱受部材６０では、左右方向に沿って互いに平行に設けられた２本の位置出し溝８２，８３を、外部付け用シャッター装置１０と、内部付け用シャッター装置１０とで使い分けているが、例えば、第３の位置出し溝８３を、左右の縦枠部１２，１３のガイドレール１６，１６の内外方向の内側を向く側面９０，９０間を繋ぐ直線上に配置されるものとし、第２の位置出し溝８２を左右の縦枠部１２，１３のガイドレール１６，１６の内外方向の内側を向く側面９１，９１（図２に図示）間を繋ぐ直線上に配置されるものとしてもよい。すなわち、シャッター装置１０の左右端部の所定位置間を結ぶ複数の線分のそれぞれに対応して中柱受部材６０に複数の位置出し溝を設けるとともに、上述のシャッター装置の左右端部の所定位置間を結ぶ複数の水糸を張り、各水糸と各位置出し溝とをそれぞれ位置合わせに用いるものとしてもよい。
【図面の簡単な説明】
【００６５】
【図１】本発明の実施の形態に係るシャッター装置の縦断面図である。
【図２】前記シャッター装置の横断面図である。
【図３】前記シャッター装置の施錠状態および解錠状態の中柱側施錠装置を示す正面図である。
【図４】前記シャッター装置の中柱受部材を示す斜視図である。
【図５】前記中柱受部材を示す平面図、正面図、側面図である。
【図６】前記中柱受部材を示す底面図である。
【図７】本発明の実施の形態の変形例に係るシャッター装置の縦断面図である。
【図８】前記変形例のシャッター装置の横断面図である。
【符号の説明】
【００６６】
１０      シャッター装置
１５      シャッターカーテン
１６      ガイドレール
２０      中柱
３０      中柱側施錠装置
３３      ロックボルト
３４      カマ（係止部材）
５０      受側施錠装置
５１      孔
５２      被係止板（被係止部材）
５５      水抜き穴
６０      中柱受部材
６５      凹所
８１      第１の位置出し溝
８２      第２の位置出し溝
８３      第３の位置出し溝
【図１】
0005106012.tif 000002
【図２】
0005106012.tif 000003
【図３】
0005106012.tif 000004
【図４】
0005106012.tif 000005
【図５】
0005106012.tif 000006
【図６】
0005106012.tif 000007
【図７】
0005106012.tif 000008
【図８】
0005106012.tif 000009